【手続補正書】
【提出日】平成16年10月20日(2004.10.20)
【手続補正１】
【補正対象書類名】明細書
【補正対象項目名】発明の名称
【補正方法】変更
【補正の内容】
【発明の名称】情報記録媒体、情報記録方法、情報再生装置、情報再生方法
【手続補正２】
【補正対象書類名】明細書
【補正対象項目名】特許請求の範囲
【補正方法】変更
【補正の内容】
【特許請求の範囲】
【請求項１】
所定面から照射される光ビームにより情報の記録再生が可能な第１の記録層、及び前記所定面から照射される光ビームにより情報の記録再生が可能な記録層であって、前記第１の記録層に対して積層された第２の記録層を有するディスク形状の情報記録媒体において、
前記第１の記録層が、相変化記録マークにより情報が記録されるトラック、及びエンボスピットによりアドレス情報が記録されたピット領域を有し、
前記第２の記録層が、相変化記録マークにより情報が記録されるトラック、及びエンボスピットによりアドレス情報が記録されたピット領域を有し、
前記第１の記録層におけるピット領域と、前記第２の記録層におけるピット領域とが、前記所定面から見て一致していることを特徴とする情報記録媒体。
【請求項２】
所定面から照射される光ビームにより情報の記録再生が可能な第１の記録層、及び前記所定面から照射される光ビームにより情報の記録再生が可能な記録層であって、前記第１の記録層に対して積層された第２の記録層を有するディスク形状の情報記録媒体において、
前記第１の記録層が、相変化記録マークにより情報が記録されるトラックであって、所定周期でウォーブルされたトラックを有し、
前記第２の記録層が、相変化記録マークにより情報が記録されるトラックであって、所定周期でウォーブルされたトラックを有し、
前記トラックの一部が、前記所定周期と異なる周期のウォーブルであって、アドレス情報を示すアドレス用のウォーブルを有することを特徴とする情報記録媒体。
【請求項３】
所定面から照射される光ビームにより情報の記録再生が可能な第１の記録層、及び前記所定面から照射される光ビームにより情報の記録再生が可能な記録層であって、前記第１の記録層に対して積層された第２の記録層を有するディスク形状の情報記録媒体において、
前記第１の記録層が、相変化記録マークにより情報が記録されるトラックであって、所定周期でウォーブルされたトラックを有し、
前記第２の記録層が、相変化記録マークにより情報が記録されるトラックであって、所定周期でウォーブルされたトラックを有し、
前記第１の記録層及び第２の記録層のうちのどちらか一方の記録層だけが、再生専用の情報が記録された再生専用領域を有することを特徴とする情報記録媒体。
【請求項４】
複数のゾーンを有し、
各ゾーンが、２周以上継続するランド形状のランドトラック及び２周以上継続するグルーブ形状のグルーブトラックを有し、
同一ゾーン内では、継続して前記グルーブトラックがトレースされるとともに、継続して前記ランドトラックがトレースされることを特徴とする情報記録媒体。
【請求項５】
情報記録媒体が、所定面から照射される光ビームにより情報の記録再生が可能な第１の記録層、及び前記所定面から照射される光ビームにより情報の記録再生が可能な記録層であって、前記第１の記録層に対して積層された第２の記録層を有し、
前記第１の記録層が、相変化記録マークにより情報が記録されるトラック、及びエンボスピットによりアドレス情報が記録されたピット領域を有し、
前記第２の記録層が、相変化記録マークにより情報が記録されるトラック、及びエンボスピットによりアドレス情報が記録されたピット領域を有し、
前記第１の記録層におけるピット領域と、前記第２の記録層におけるピット領域とが、前記所定面から見て一致しており、
前記情報記録媒体に対して情報を記録するとき、前記ピット領域に記録されたアドレス情報に基づき、目的のトラックに対して相変化記録マークにより目的の情報を記録することを特徴とする情報記録方法。
【請求項６】
情報記録媒体が、所定面から照射される光ビームにより情報の記録再生が可能な第１の記録層、及び前記所定面から照射される光ビームにより情報の記録再生が可能な記録層であって、前記第１の記録層に対して積層された第２の記録層を有し、
前記第１の記録層が、相変化記録マークにより情報が記録されるトラックであって、所定周期でウォーブルされたトラックを有し、
前記第２の記録層が、相変化記録マークにより情報が記録されるトラックであって、所定周期でウォーブルされたトラックを有し、
前記トラックの一部が、前記所定周期と異なる周期のウォーブルであって、アドレス情報を示すアドレス用のウォーブルを有し、
前記情報記録媒体に対して情報を記録するとき、前記アドレス用のウォーブルから再生されるアドレス情報に基づき、目的のトラックに対して相変化記録マークにより目的の情報を記録することを特徴とする情報記録方法。
【請求項７】
情報記録媒体が、所定面から照射される光ビームにより情報の記録再生が可能な第１の記録層、及び前記所定面から照射される光ビームにより情報の記録再生が可能な記録層であって、前記第１の記録層に対して積層された第２の記録層を有し、
前記第１の記録層が、相変化記録マークにより情報が記録されるトラック、及びエンボスピットによりアドレス情報が記録されたピット領域を有し、
前記第２の記録層が、相変化記録マークにより情報が記録されるトラック、及びエンボスピットによりアドレス情報が記録されたピット領域を有し、
前記第１の記録層におけるピット領域と、前記第２の記録層におけるピット領域とが、前記所定面から見て一致しており、
前記情報記録媒体から目的の情報を再生するとき、前記ピット領域に記録されたアドレス情報に基づき、目的のトラックに記録された相変化記録マークを再生することを特徴とする情報再生装置。
【請求項８】
情報記録媒体が、所定面から照射される光ビームにより情報の記録再生が可能な第１の記録層、及び前記所定面から照射される光ビームにより情報の記録再生が可能な記録層であって、前記第１の記録層に対して積層された第２の記録層を有し、
前記第１の記録層が、相変化記録マークにより情報が記録されるトラックであって、所定周期でウォーブルされたトラックを有し、
前記第２の記録層が、相変化記録マークにより情報が記録されるトラックであって、所定周期でウォーブルされたトラックを有し、
前記トラックの一部が、前記所定周期と異なる周期のウォーブルであって、アドレス情報を示すアドレス用のウォーブルを有し、
前記情報記録媒体から目的の情報を再生するとき、前記アドレス用のウォーブルから再生されるアドレス情報に基づき、目的のトラックに記録された相変化記録マークを再生することを特徴とする情報再生装置。
【請求項９】
情報記録媒体が、所定面から照射される光ビームにより情報の記録再生が可能な第１の記録層、及び前記所定面から照射される光ビームにより情報の記録再生が可能な記録層であって、前記第１の記録層に対して積層された第２の記録層を有し、
前記第１の記録層が、相変化記録マークにより情報が記録されるトラック、及びエンボスピットによりアドレス情報が記録されたピット領域を有し、
前記第２の記録層が、相変化記録マークにより情報が記録されるトラック、及びエンボスピットによりアドレス情報が記録されたピット領域を有し、
前記第１の記録層におけるピット領域と、前記第２の記録層におけるピット領域とが、前記所定面から見て一致しており、
前記情報記録媒体から目的の情報を再生するとき、前記ピット領域に記録されたアドレス情報に基づき、目的のトラックに記録された相変化記録マークを再生することを特徴とする情報再生方法。
【請求項１０】
情報記録媒体が、所定面から照射される光ビームにより情報の記録再生が可能な第１の記録層、及び前記所定面から照射される光ビームにより情報の記録再生が可能な記録層であって、前記第１の記録層に対して積層された第２の記録層を有し、
前記第１の記録層が、相変化記録マークにより情報が記録されるトラックであって、所定周期でウォーブルされたトラックを有し、
前記第２の記録層が、相変化記録マークにより情報が記録されるトラックであって、所定周期でウォーブルされたトラックを有し、
前記トラックの一部が、前記所定周期と異なる周期のウォーブルであって、アドレス情報を示すアドレス用のウォーブルを有し、
前記情報記録媒体から目的の情報を再生するとき、前記アドレス用のウォーブルから再生されるアドレス情報に基づき、目的のトラックに記録された相変化記録マークを再生することを特徴とする情報再生方法。
【手続補正３】
【補正対象書類名】明細書
【補正対象項目名】０００１
【補正方法】変更
【補正の内容】
【０００１】  
【発明の属する技術分野】
本発明は、集束光により情報の記録、及び書き換えが可能な情報記録媒体に関する。また、本発明は、この情報記録媒体に対して目的の情報を記録する情報記録方法に関する。さらに、本発明は、この情報記録媒体に記録された目的の情報を再生する情報再生装置及び情報再生方法に関する。
【手続補正４】
【補正対象書類名】明細書
【補正対象項目名】００１１
【補正方法】変更
【補正の内容】
【００１１】
本発明は上記課題を解決するためのものであって、その目的は下記の情報記録媒体、情報記録方法、情報再生装置、及び情報再生方法を提供することにある。
【手続補正５】
【補正対象書類名】明細書
【補正対象項目名】００１２
【補正方法】変更
【補正の内容】
【００１２】
（１）非常に安定したトラッキング制御が可能であり、且つ所定位置へのアクセス制御が容易なデータ構造を有する情報記録媒体。また、この情報記録媒体に対して情報を記録する情報記録方法。さらに、この情報記録媒体から情報を再生する情報再生装置及び情報再生方法。
【手続補正６】
【補正対象書類名】明細書
【補正対象項目名】００１３
【補正方法】変更
【補正の内容】
【００１３】
（２）高い記録効率を確保することが可能なデータ構造を有する情報記録媒体。また、この情報記録媒体に対して情報を記録する情報記録方法。さらに、この情報記録媒体から情報を再生する情報再生装置及び情報再生方法。
【手続補正７】
【補正対象書類名】明細書
【補正対象項目名】００１４
【補正方法】変更
【補正の内容】
【００１４】
（３）複数の記録層間の悪影響を除去して片側の面から記録・再生が可能な記録層の数を増やし、片側の面から見た記録容量を増加させることが可能なデータ構造を有する情報記録媒体。また、この情報記録媒体に対して情報を記録する情報記録方法。さらに、この情報記録媒体から情報を再生する情報再生装置及び情報再生方法。
【手続補正８】
【補正対象書類名】明細書
【補正対象項目名】００１５
【補正方法】変更
【補正の内容】
【００１５】  
【課題を解決するための手段】
上記課題を解決し目的を達成するために、この発明の情報記録媒体、情報記録方法、情報再生装置、及び情報再生方法は、以下のように構成されている。
【手続補正９】
【補正対象書類名】明細書
【補正対象項目名】００１７
【補正方法】変更
【補正の内容】
【００１７】
また、この発明の情報記録方法は、上記した情報記録媒体に対して目的の情報を記録することを特徴とする。
【手続補正１０】
【補正対象書類名】明細書
【補正対象項目名】００２９
【補正方法】変更
【補正の内容】
【００２９】
（１２）この発明の情報記録方法は、上記（１）〜（１１）の情報記録媒体に対して目的の情報を記録することを特徴とする。
【手続補正１１】
【補正対象書類名】明細書
【補正対象項目名】０３０６
【補正方法】変更
【補正の内容】
【０３０６】  
【発明の効果】
この発明によれば、下記の情報記録媒体、情報記録方法、情報再生装置、及び情報再生方法を提供できる。
【手続補正１２】
【補正対象書類名】明細書
【補正対象項目名】０３０７
【補正方法】変更
【補正の内容】
【０３０７】
（１）非常に安定したトラッキング制御が可能であり、且つ所定位置へのアクセス制御が容易なデータ構造を有する情報記録媒体。また、この情報記録媒体に対して情報を記録する情報記録方法。さらに、この情報記録媒体から情報を再生する情報再生装置及び情報再生方法。
【手続補正１３】
【補正対象書類名】明細書
【補正対象項目名】０３０８
【補正方法】変更
【補正の内容】
【０３０８】
（２）高い記録効率を確保することが可能なデータ構造を有する情報記録媒体。また、この情報記録媒体に対して情報を記録する情報記録方法。さらに、この情報記録媒体から情報を再生する情報再生装置及び情報再生方法。
【手続補正１４】
【補正対象書類名】明細書
【補正対象項目名】０３０９
【補正方法】変更
【補正の内容】
【０３０９】
（３）複数の記録層間の悪影響を除去して片側の面から記録・再生が可能な記録層の数を増やし、片側の面から見た記録容量を増加させることが可能なデータ構造を有する情報記録媒体。また、この情報記録媒体に対して情報を記録する情報記録方法。さらに、この情報記録媒体から情報を再生する情報再生装置及び情報再生方法。